(57)【要約】【課題】中継器に故障が生じてもバックアップを可能にして火災監視できなくなる区間が生じないようなトンネル防災システムを提供する。【解決手段】本発明に係るトンネル防災システム１は、第１制御部２１に異常が発生したときには、第１制御部２１は第１火災検知器９と第１送受信回路１９を非接続状態にし、第２制御部３３は防災受信盤３の通知に基づいて第１火災検知器９と第２送受信回路３１を接続状態にするように第２副リレー３７を制御し、第２制御部３３に異常が発生したときには、第２制御部３３は第２火災検知器１１と第２送受信回路３１を非接続状態にし、第１制御部２１は防災受信盤３の通知に基づいて第２火災検知器１１と第１送受信回路１９を接続状態にするように第１副リレー２５を制御することを特徴とするものである。【選択図】  図１
2015087918.tif 000002
【特許請求の範囲】
【請求項１】
防災受信盤と、該防災受信盤と伝送線を介して接続された複数の中継器と、該各中継器に接続された複数の火災検知器とを有し、前記防災受信盤が、前記各中継器を介して、前記複数の火災検知器の状態監視を行うトンネル防災システムであって、
前記各中継器は、
平常時において第１火災検知器の状態監視を行う第１制御部と、平常時において第２火災検知器の状態監視を行う第２制御部と、前記第１制御部と前記第１火災検知器、前記第２火災検知器及び前記防災受信盤との信号の送受信を可能にする第１送受信回路と、前記第２制御部と前記第２火災検知器、前記第１火災検知器及び前記防災受信盤との信号の送受信を可能にする第２送受信回路と、
前記第１火災検知器と前記第１送受信回路及び前記第２送受信回路との接続／非接続、前記第２火災検知器と前記第２送受信回路及び前記第１送受信回路との接続／非接続を切り換えるスイッチング手段とを備え、
平常時においては、
前記スイッチング手段は、前記第１火災検知器と前記第１送受信回路を接続状態にすると共に前記第１火災検知器と前記第２送受信回路との接続を非接続状態にし、かつ、前記第２火災検知器と前記第２送受信回路を接続状態にすると共に前記第２火災検知器と第１送受信回路との接続を非接続状態にし、
前記第１制御部に異常が発生したときには、
前記スイッチング手段は、前記第１火災検知器と前記第１送受信回路を非接続状態にすると共に前記第１火災検知器と前記第２送受信回路を接続状態にし、
前記第２制御部に異常が発生したときには、
前記スイッチング手段は、前記第２火災検知器と前記第２送受信回路を非接続状態にすると共に前記第２火災検知器と前記第１送受信回路を接続状態にすることを特徴とするトンネル防災システム。
【請求項２】
前記防災受信盤は、前記第１制御部及び前記第２制御部の異常を検知する異常検知手段と、該異常検知手段によって異常が検知されたときにこれを前記第１制御部または前記第２制御部の異常が生じていない方に通知する通知手段を備え、
前記第１制御部に異常が発生したときには、
前記防災受信盤は前記第１制御部に異常が発生した旨を前記第２制御部に通知し、
前記第２制御部は前記防災受信盤の通知に基づいて前記第１火災検知器と前記第２送受信回路を接続状態にするように前記スイッチング手段を制御し、
前記第２制御部に異常が発生したときには、
前記防災受信盤は前記第２制御部に異常が発生した旨を前記第１制御部に通知し、
前記第１制御部は前記防災受信盤の通知に基づいて前記第２火災検知器と前記第１送受信回路を接続状態にするように前記スイッチング手段を制御することを特徴とする請求項１記載のトンネル防災システム。
【請求項３】
前記スイッチング手段は、第１主リレーと第１副リレー、第２主リレーと第２副リレーを備えており、
前記第１主リレーは、第１主コモン接点と第１主メイク接点と第１主ブレイク接点とを有し、
前記第１副リレーは、第１副コモン接点と第１副メイク接点と第１副ブレイク接点とを有し、
前記第２主リレーは、第２主コモン接点と第２主メイク接点と第２主ブレイク接点とを有し、
前記第２副リレーは、第２副コモン接点と第２副メイク接点と第２副ブレイク接点とを有し、
前記第１主コモン接点は前記第１火災検知器と、前記第１主メイク接点は前記第１送受信回路と、前記第１主ブレイク接点は前記第１副ブレイク接点と接続され、
前記第１副コモン接点は前記第２副コモン接点と、前記第１副メイク接点は前記第１送受信回路と接続され、
前記第２主コモン接点は前記第２火災検知器と、前記第２主メイク接点は前記第２送受信回路と、前記第２主ブレイク接点は前記第２副ブレイク接点と接続され、
前記第２副メイク接点は前記第２送受信回路と接続されていることを特徴とする請求項１又は２に記載のトンネル防災システム。
【請求項４】
前記第１制御部及び前記第２制御部は個別の電源によって電源供給されていることを特徴とする請求項１乃至３のいずれか一項に記載のトンネル防災システム。
【請求項５】
前記複数の中継器は２個の中継器が一対になっており、該各中継器は単一の電源を有しており、
前記一対の中継器のうち、
一方の中継器の前記電源は、前記一対の中継器のそれぞれの前記第１制御部に電源供給し、
他方の中継器の前記電源は、前記一対の中継器のそれぞれの前記第２制御部に電源供給していることを特徴とする請求項１乃至３のいずれか一項に記載のトンネル防災システム。
【発明の詳細な説明】
【技術分野】
【０００１】
本発明は、防災受信盤と、該防災受信盤と伝送線を介して接続された複数の中継器と、各中継器と個別の幹線を介して接続された複数の火災検知器とを有し、防災受信盤が、各中継器を介して、複数の火災検知器と信号伝送するトンネル防災システムに関する。
【背景技術】
【０００２】
一般的にトンネル防災システムは、一定範囲を監視して火災を検知するための複数の火災検知器と、該各火災検知器と火災信号等の信号を送受信して集約する防災受信盤とを有している。
トンネル防災システムとしては、防災受信盤と各火災検知器とが中継器を介して各種信号の送受信を行うもの（Ｒ型伝送方式）があり、このようなものとしては、例えば特許文献１のものが挙げられる。各火災検知器は幹線によって中継器に接続されている。
【先行技術文献】
【特許文献】
【０００３】
【特許文献１】特開２００２−２４６９６２号
【発明の概要】
【発明が解決しようとする課題】
【０００４】
長いトンネルを監視するためには、多くの火災検知器が必要であり、それ故、各火災検知器が接続される中継器の数が多くなり、中継器の故障する可能性が高くなる。
しかし、特許文献１には、中継器（特許文献１の「中継増幅盤」）の故障への対応については言及がない。そのため、防災受信盤は、ある中継器が故障すると該中継器に接続されている火災検知器によって火災監視していた区間については、火災監視できなくなるという問題がある。
【０００５】
本発明は、上記のような課題を解決するためになされたものであり、中継器に故障が生じてもバックアップを可能して火災監視できなくなる区間が生じないトンネル防災システムを提供することを目的とする。
【課題を解決するための手段】
【０００６】
（１）本発明に係るトンネル防災システムは、防災受信盤と、該防災受信盤と伝送線を介して接続された複数の中継器と、該各中継器に接続された複数の火災検知器とを有し、前記防災受信盤が、前記各中継器を介して、前記複数の火災検知器の状態監視を行うトンネル防災システムであって、
前記各中継器は、
平常時において第１火災検知器の状態監視を行う第１制御部と、平常時において第２火災検知器の状態監視を行う第２制御部と、前記第１制御部と前記第１火災検知器、前記第２火災検知器及び前記防災受信盤との信号の送受信を可能にする第１送受信回路と、前記第２制御部と前記第２火災検知器、前記第１火災検知器及び前記防災受信盤との信号の送受信を可能にする第２送受信回路と、
前記第１火災検知器と前記第１送受信回路及び前記第２送受信回路との接続／非接続、前記第２火災検知器と前記第２送受信回路及び前記第１送受信回路との接続／非接続を切り換えるスイッチング手段とを備え、
平常時においては、
前記スイッチング手段は、前記第１火災検知器と前記第１送受信回路を接続状態にすると共に前記第１火災検知器と前記第２送受信回路との接続を非接続状態にし、かつ、前記第２火災検知器と前記第２送受信回路を接続状態にすると共に前記第２火災検知器と第１送受信回路との接続を非接続状態にし、
前記第１制御部に異常が発生したときには、
前記スイッチング手段は、前記第１火災検知器と前記第１送受信回路を非接続状態にすると共に前記第１火災検知器と前記第２送受信回路を接続状態にし、
前記第２制御部に異常が発生したときには、
前記スイッチング手段は、前記第２火災検知器と前記第２送受信回路を非接続状態にすると共に前記第２火災検知器と前記第１送受信回路を接続状態にすることを特徴とするものである。
【０００７】
（２）また、上記（１）に記載のものにおいて、前記防災受信盤は、前記第１制御部及び前記第２制御部の異常を検知する異常検知手段と、該異常検知手段によって異常が検知されたときにこれを前記第１制御部または前記第２制御部の異常が生じていない方に通知する通知手段を備え、
前記第１制御部に異常が発生したときには、
前記防災受信盤は前記第１制御部に異常が発生した旨を前記第２制御部に通知し、
前記第２制御部は前記防災受信盤の通知に基づいて前記第１火災検知器と前記第２送受信回路を接続状態にするように前記スイッチング手段を制御し、
前記第２制御部に異常が発生したときには、
前記防災受信盤は前記第２制御部に異常が発生した旨を前記第１制御部に通知し、
前記第１制御部は前記防災受信盤の通知に基づいて前記第２火災検知器と前記第１送受信回路を接続状態にするように前記スイッチング手段を制御することを特徴とするものである。
【０００８】
（３）また、上記（１）又は（２）に記載のものにおいて、前記スイッチング手段は、第１主リレーと第１副リレー、第２主リレーと第２副リレーを備えており、
前記第１主リレーは、第１主コモン接点と第１主メイク接点と第１主ブレイク接点とを有し、
前記第１副リレーは、第１副コモン接点と第１副メイク接点と第１副ブレイク接点とを有し、
前記第２主リレーは、第２主コモン接点と第２主メイク接点と第２主ブレイク接点とを有し、
前記第２副リレーは、第２副コモン接点と第２副メイク接点と第２副ブレイク接点とを有し、
前記第１主コモン接点は前記第１火災検知器と、前記第１主メイク接点は前記第１送受信回路と、前記第１主ブレイク接点は前記第１副ブレイク接点と接続され、
前記第１副コモン接点は前記第２副コモン接点と、前記第１副メイク接点は前記第１送受信回路と接続され、
前記第２主コモン接点は前記第２火災検知器と、前記第２主メイク接点は前記第２送受信回路と、前記第２主ブレイク接点は前記第２副ブレイク接点と接続され、
前記第２副メイク接点は前記第２送受信回路と接続されていることを特徴とするものである。
【０００９】
（４）また、上記（１）乃至（３）のいずれかに記載のものにおいて、前記第１制御部及び前記第２制御部は個別の電源によって電源供給されていることを特徴とするものである。
【００１０】
（５）また、上記（１）乃至（３）のいずれかに記載のものにおいて、前記複数の中継器は２個の中継器が一対になっており、該各中継器は単一の電源を有しており、
前記一対の中継器のうち、
一方の中継器の前記電源は、前記一対の中継器のそれぞれの前記第１制御部に電源供給し、
他方の中継器の前記電源は、前記一対の中継器のそれぞれの前記第２制御部に電源供給していることを特徴とするものである。
【発明の効果】
【００１１】
本発明においては、第１制御部に異常が発生したときには、第１制御部は第１火災検知器と第１送受信回路を非接続状態にし、第２制御部は防災受信盤の通知に基づいて第１火災検知器と第２送受信回路を接続状態にするようにスイッチング手段を制御し、第２制御部に異常が発生したときには、第２制御部は第２火災検知器と第２送受信回路を非接続状態にし、第１制御部は防災受信盤の通知に基づいて第２火災検知器と第１送受信回路を接続状態にするようにスイッチング手段を制御するようにしたので、第１制御部又は第２制御部に故障が発生した場合においても、第１火災検知器及び第２火災検知器によって継続して火災監視を行うことができ、火災監視ができない区間が生じることがない。
【図面の簡単な説明】
【００１２】
【図１】本発明の一実施の形態に係る防災システムの中継器の平常時における内部状態の説明図である。
【図２】本発明の一実施の形態に係る防災システム全体の説明図である。
【図３】本発明の一実施の形態に係る防災システムの中継器の第１制御部の故障時における内部状態の説明図である。
【図４】本発明の一実施の形態に係る防災システムの中継器の他の態様の説明図である。
【図５】本発明の一実施の形態に係る防災システムの中継器のさらに他の態様の説明図である。
【発明を実施するための形態】
【００１３】
本発明の一実施の形態に係るトンネル防災システム１は、図２に示すように、防災受信盤３と、防災受信盤３と伝送線５を介して接続された複数の中継器７と、各中継器７に接続された複数の火災検知器（第１火災検知器９および第２火災検知器１１）とを有しており、防災受信盤３が各中継器７を介して複数の第１火災検知器９および第２火災検知器１１の状態監視を行うものである。
トンネル防災システム１は、中継器７を介して接続されている第１火災検知器９および第２火災検知器１１等の端末機器毎に固有のアドレスを設定し、該アドレスを用いて各種信号の送受信を行う、いわゆるＲ型伝送方式である。
なお、第１火災検知器９および第２火災検知器１１は、トンネル内に所定間隔（例えば２５ｍ間隔）で配置されて、所定範囲内の炎特有の波長の光を検出することで火災を検知可能になっている。
以下、上記各構成を詳細に説明する。
【００１４】
〔中継器〕
中継器７は、図１に示すように、複数の第１火災検知器９が接続された第１制御盤１３と、複数の第２火災検知器１１が接続された第２制御盤１５と、第１制御盤１３および第２制御盤１５に電源を供給するスイッチング電源１７とを有しており、各火災検知器９、１１等から発信される信号を変換して中継するものである。
中継器７は、図２に示すように、トンネル内に所定間隔（例えば７５ｍ間隔）で配置されている。
中継器７の各構成についてさらに以下に詳細に説明する。
なお、第１制御盤１３には複数の第１火災検知器９が接続されており、第２制御盤１５には複数の第２火災検知器１１が接続されているが、図１〜図５においては、一台ずつのみ図示している。
【００１５】
＜第１制御盤＞
第１制御盤１３は、図１に示すように、防災受信盤３と信号を送受信する第１送受信回路１９と、平常時において第１火災検知器９の状態監視を行う第１制御部２１と、第１主リレー２３および第１副リレー２５と、第１火災検知器９を第１制御盤１３に接続するための第１主接続端子部２７と、第１制御盤１３を第２制御盤１５に電気的に接続するための第１副接続端子部２９とを有している。
なお、第１火災検知器９は、端子部９ａを備えており、端子部９ａと第１主接続端子部２７を電線で接続することで第１制御盤１３に電気的に接続されている。
以下に第１制御盤１３の各構成についてさらに詳細に説明する。
【００１６】
≪第１送受信回路≫
第１送受信回路１９は、防災受信盤３と第１制御部２１の間に設けられて、第１制御部２１と防災受信盤３の間の信号の送受信をする回路である。また、第１送受信回路１９は、これに接続されている第１火災検知器９又は第２火災検知器１１と第１制御部２１との信号の送受信を行う機能も有している。
【００１７】
≪第１制御部≫
第１制御部２１は、第１送受信回路１９を介して第１火災検知器９又は第２火災検知器１１と信号の送受信を行ってこれらの状態監視を行う。常時には第１送受信回路１９には第１火災検知器９が接続されており、第１制御部２１は第１火災検知器９の状態監視を行う。後述するように、第２制御部３３が故障した場合には、第２火災検知器１１が第１送受信回路１９に接続されることになるので、この場合には、第１制御部２１は第２火災検知器１１の状態監視を行う。
また、第１制御部２１は、第１送受信回路１９を介して、防災受信盤３と信号の送受信を行う。
さらに、第１制御部２１は、第１送受信回路１９を介して第１主リレー２３および第１副リレー２５に接続されており、これらのリレーを制御してメイク状態にする機能を有している。なお、平常時において第１主リレー２３は第１制御部２１によって制御されてメイク状態を維持しているが第１制御部２１が故障するとメイク状態を維持できなくなって自動的にブレイク状態となる。
第１制御部２１は、防災受信盤３から第１送受信回路１９を介して第２制御部３３が故障した旨の通知を受けると、第１副リレー２５をメイク状態にする。
【００１８】
≪第１主リレー及び第１副リレー≫
第１主リレー２３及び第１副リレー２５について図１に基づいて説明する。
第１主リレー２３は、第１主接続端子部２７の接続先、すなわち第１火災検知器９の接続先を第１送受信回路１９または第１副リレー２５に切り替えるためのリレーである。
第１主リレー２３は、第１主コモン接点２３ａと第１主メイク接点２３ｂと第１主ブレイク接点２３ｃとを有しており、第１主コモン接点２３ａは第１主接続端子部２７に、第１主メイク接点２３ｂは第１送受信回路１９に、第１主ブレイク接点２３ｃは第１副ブレイク接点２５ｃにそれぞれ接続されている。
第１主リレー２３は、平常時においてメイク状態、すなわち第１主コモン接点２３ａと第１主メイク接点２３ｂが接続された状態になっており、第１火災検知器９は第１送受信回路１９に接続されている。
第１主リレー２３がブレイク状態、すなわち第１主コモン接点２３ａと第１主ブレイク接点２３ｃが接続されると、第１火災検知器９は第１副リレー２５に接続される。
【００１９】
第１副リレー２５は、第１副接続端子部２９の接続先を第１送受信回路１９または第１主リレー２３に切り替えるためのリレーである。
第１副リレー２５は、第１副コモン接点２５ａと第１副メイク接点２５ｂと第１副ブレイク接点２５ｃとを有しており、第１副コモン接点２５ａは第１副接続端子部２９に、第１副メイク接点２５ｂは第１送受信回路１９に、第１副ブレイク接点２５ｃは第１主リレー２３にそれぞれ接続されている。
第１副リレー２５は、平常時においてブレイク状態、すなわち第１副コモン接点２５ａと第１副ブレイク接点２５ｃが接続された状態になっており、第１副接続端子部２９は第１主リレー２３に接続されている。
第１副リレー２５がメイク状態、すなわち第１副コモン接点２５ａと第１副メイク接点２５ｂが接続されると、第１副接続端子部２９は第１送受信回路１９に接続される。
【００２０】
＜第２制御盤＞
第２制御盤１５は、図１に示すように、防災受信盤３と信号を送受信する第２送受信回路３１と、平常時において第２火災検知器１１の状態監視を行う第２制御部３３と、第２主リレー３５および第２副リレー３７と、第２火災検知器１１を第２制御盤１５に接続するための第２主接続端子部３９と、第２制御盤１５を第１制御盤１３に接続するための第２副接続端子部４１とを有している。
なお、第２火災検知器１１は、端子部１１ａを備えており、端子部１１ａと第２主接続端子部３９を電線で接続することで第２制御盤１５に電気的に接続されている。
【００２１】
第２主リレー３５は、第２主接続端子部３９の接続先を第２送受信回路３１または第２副リレー３７に切り替えるためのリレーである。
第２主リレー３５は、第２主コモン接点３５ａと第２主メイク接点３５ｂと第２主ブレイク接点３５ｃとを有しており、第２主コモン接点３５ａは第２主接続端子部３９と、第２主メイク接点３５ｂは第２送受信回路３１と、第２主ブレイク接点３５ｃは第２副ブレイク接点３７ｃとそれぞれ接続されている。
第２主リレー３５は、平常時においてメイク状態、すなわち第２主コモン接点３５ａと第２主メイク接点３５ｂが接続された状態になっており、第２火災検知器１１は第２送受信回路３１に接続されている。
第２主リレー３５がブレイク状態、すなわち第２主コモン接点３５ａと第２主ブレイク接点３５ｃが接続されると、第２火災検知器１１は第２副リレー３７に接続される。
【００２２】
第２副リレー３７は、第２副接続端子部４１の接続先を第２送受信回路３１または第２主リレー３５に切り替えるためのリレーである。
第２副リレー３７は、第２副コモン接点３７ａと第２副メイク接点３７ｂと第２副ブレイク接点３７ｃとを有しており、第２副コモン接点３７ａは第２副接続端子部４１に、第２副メイク接点３７ｂは第２送受信回路３１に、第２副ブレイク接点３７ｃは第２主リレー３５にそれぞれ接続されている。
第２副リレー３７は、平常時においてブレイク状態、すなわち第２副コモン接点３７ａと第２副ブレイク接点３７ｃが接続された状態になっており、第２副接続端子部４１は第２主リレー３５に接続されている。
第２副リレー３７がメイク状態、すなわち第２副コモン接点３７ａと第２副メイク接点３７ｂが接続されると、第２副接続端子部４１は第２送受信回路３１に接続される。
【００２３】
第２制御盤１５の他の構成は第１制御盤１３と同様であるため、その説明を省略する。
【００２４】
中継器７は、以上のような構成であるため、第１制御盤１３の第１主リレー２３および第１副リレー２５、第２制御盤１５の第２主リレー３５および第２副リレー３７のメイク／ブレイク状態を切り替えることによって、第１火災検知器９の接続先を第１送受信回路１９にするか、第２送受信回路３１にするかを切り替えることができ、同様に、第２火災検知器１１の接続先を第２送受信回路３１にするか、第１送受信回路１９にするかを切り替えることができることができる。具体的には以下の通りである。
【００２５】
第１火災検知器９を第１送受信回路１９に接続させるためには、上述したとおり、第１主リレー２３をメイク状態にする（図１参照）。これによって、第１火災検知器９は、第１主接続端子部２７、第１主リレー２３を経由して第１送受信回路１９に接続される。
【００２６】
第１火災検知器９を第２送受信回路３１に接続させるためには、第１主リレー２３をブレイク状態、第１副リレー２５をブレイク状態にし、さらに第２副リレー３７をメイク状態にする（図３参照）。
こうすることで、第１火災検知器９は、第１主接続端子部２７、第１主リレー２３、第１副リレー２５、第１副接続端子部２９、第２副接続端子部４１、第２副リレー３７を経由して第２送受信回路３１に接続される。
この場合、第２送受信回路３１には、第１火災検知器９と第２火災検知器１１が接続され、第１火災検知器９及び第２火災検知器１１が第２制御部３３によって状態監視されることになる。
【００２７】
同様に、各リレーのメイク／ブレイク状態を以下のように切り替えることによって、第２火災検知器１１の接続先を第２送受信回路３１にするか、第１送受信回路１９にするかを切り替えることができる。
第２火災検知器１１を第２送受信回路３１に接続させるためには、上述したとおり、第２主リレー３５をメイク状態にする（図１参照）。これによって、第２火災検知器１１は、第２主接続端子部３９、第２主リレー３５を経由して第２送受信回路３１に接続される。
【００２８】
第２火災検知器１１を第１送受信回路１９に接続させるためには、第２主リレー３５をブレイク状態、第２副リレー３７をブレイク状態にし、さらに第１副リレー２５をメイク状態にする。
こうすることで、第２火災検知器１１は、第２主接続端子部３９、第２主リレー３５、第２副リレー３７、第２副接続端子部４１、第１副接続端子部２９、第１副リレー２５を経由して第１送受信回路１９に接続される。
【００２９】
なお、平常時は図１の状態であり、すなわち第１火災検知器９は第１送受信回路１９に接続されており、第２火災検知器１１は第２送受信回路３１に接続されている。
【００３０】
なお、第１主リレー２３および第１副リレー２５と、第２主リレー３５および第２副リレー３７とが本発明のスイッチング手段に相当する。
【００３１】
＜スイッチング電源＞
スイッチング電源１７は、図示しない外部の電源装置に接続され、第１制御盤１３および第２制御盤１５に電源を供給するものであり、この電源供給を受けて第１制御部２１、第２制御部３３が稼働している。
【００３２】
〔防災受信盤〕
防災受信盤３はトンネル防災システム１全体を監視するためのものである。防災受信盤３には、図２に示すように、複数の中継器７がシリアルに接続される。
防災受信盤３は、第１制御部２１及び第２制御部３３の異常を検知する異常検知手段３ａと、異常検知手段３ａによって異常が検知されたときにこれを第１制御部２１及び第２制御部３３に通知する通知手段３ｂを備えている。
【００３３】
以上のように構成された本実施の形態に係るトンネル防災システム１を用いて、第１制御部２１又は第２制御部３３の故障時における火災検知器９、１１の接続先の切替え動作を、ある中継器７の第１制御部２１が故障した場合を例に挙げて以下に説明する。
平常時においては、上述したとおり、第１火災検知器９は第１送受信回路１９に接続されており、第２火災検知器１１は第２送受信回路３１に接続されており、第１制御部２１と第２制御部３３とによる火災監視が行われている。
そして、第１制御部２１と第２制御部３３は、防災受信盤３の異常検知手段３ａによって定期的に状態を確認する信号の送信が行われ、これに応答することで、異常の有無が監視されている。
【００３４】
第１制御部２１が故障すると、上述したとおり、第１主リレー２３をメイク状態に維持できなくなり、自動的にブレイク状態となる。これによって、第１火災検知器９は、第１送受信回路１９と非接続状態になるとともに、第２制御盤１５の第２副リレー３７に接続される。なお、この時点において第２副リレー３７はブレイク状態である。
【００３５】
一方、防災受信盤３は、異常検知手段３ａによって上記中継器７の第１制御部２１の異常を検知し、該検知した情報に基づいて、通知手段３ｂによって上記中継器７の第２制御部３３に第１制御部２１が故障した旨を通知する。
第２制御部３３は、上記通知に基づいて第２副リレー３７をメイク状態にする。
こうすることで、第１火災検知器９が第２送受信回路３１に接続され、第２制御部３３による火災監視を行うことができる。
【００３６】
以上のように本実施の形態においては、第１制御部２１が故障しても第１火災検知器９の接続先を第１送受信回路１９から第２送受信回路３１に切り替えることにより、引き続き第２制御部３３による火災監視を行うことができ、火災監視できなくなる区間が生じることがない。
なお、上記では第１制御部２１が故障した場合について説明したが、第２制御部３３が故障した場合についても同様であり、第２火災検知器１１が第１送受信回路１９に接続されることで第１制御部２１による火災監視を行うことができる。
【００３７】
上記中継器７の構成では、第１制御盤１３と第２制御盤１５に対して一つのスイッチング電源１７で電源供給しているため、万が一、スイッチング電源１７が故障すると、各制御盤に設けられている第１制御部２１及び第２制御部３３の両方が動作しなくなってしまい、中継器７に接続されている火災検知器９、１１の全てに対して状態監視ができなくなり、火災監視できない区間が生じることになる。
そこで、第１制御盤１３と第２制御盤１５とで互いに独立した電源系統にすることが望ましい。このような中継器の一例を図４に示す。
【００３８】
図４に示す中継器５１は図２の中継器７の変形例であり、２つのスイッチング電源１７を有している。図４において、図２と同様のものには同一の符号を付している。
図４に示すように、第１制御盤１３と第２制御盤１５は、別々のスイッチング電源１７に接続されており、互いに独立した電源系統になっている。
そのため、仮に第１制御盤１３に電源を供給しているスイッチング電源１７が故障して、それによって第１制御部２１が動作しなくなった場合も、第２制御盤１５は動作し続けることができ、上記実施の形態１で説明したように、第１送受信回路１９を介して第１制御部２１に接続されていた第１火災検知器９を第２送受信回路３１に接続して、第２制御部３３による火災監視を行うことができる。
【００３９】
中継器７の他の変形例を図５に示す。図５に示す中継器５３は一対になっており、それぞれ１つのスイッチング電源１７を備えている。図５において、図２と同様のものには同一の符号を付している。
図５に示すように、一対の中継器５３のうち、一方の中継器５３のスイッチング電源１７には、一対の中継器５３のそれぞれの第１制御盤１３が接続されており、他方の中継器５３のスイッチング電源１７には、一対の中継器５３のそれぞれの第２制御盤１５が接続されて電源が供給されている。このように、第１制御盤１３と第２制御盤１５は、互いに独立した電源系統になっている。
【００４０】
従って、仮に各第１制御盤１３に電源を供給しているスイッチング電源１７が故障しても、各第２制御盤１５は動作し続けることができ、各第１火災検知器９の接続先を第２送受信回路３１に切り替えることによって、引き続き第２制御部３３による火災監視を行うことができる。
第２制御盤１５に電源を供給しているスイッチング電源１７が故障した場合でも同様であり、各第１火災検知器９および各第２火災検知器１１は第１送受信回路１９に接続されて、第１制御部２１による火災監視を行うことができる。
上記の説明から明らかなように、発明においては、図４の中継器５１や図５の中継器５３のように第１制御部２１と第２制御部３３に接続するスイッチング電源１７が別のものである場合、スイッチング電源１７が電源断となったことに起因して第１制御部２１と第２制御部３３が動作不能になった場合も、本発明における第１制御部２１や第２制御部３３に異常が発生したときに該当する。
【００４１】
以上のように中継器５１、中継器５３においては、一方のスイッチング電源１７が故障しても、他方のスイッチング電源１７に接続されている制御盤によって、第１火災検知器９または第２火災検知器１１の接続先を、第１送受信回路１９または第２送受信回路３１に切り替えることにより、引き続き他方の制御盤の制御部による火災監視を行うことができ、火災監視できなくなる区間が生じることがない。
【００４２】
なお、本実施の形態では、第１制御盤１３および第２制御盤１５に接続される機器として火災検知器を記載しているが、第１制御盤１３および第２制御盤１５に接続される機器は火災検知器のみに限定されるものではなく、例えば信号変換器などを接続してもよい。
【００４３】
また、本実施の形態では、一つの中継器７に第１制御盤１３と第２制御盤１５が設置されて、いずれかの制御盤に異常が発生した場合に他方の制御盤でバックアップするようにしたものであるが、この考え方を拡張すれば、一つの中継器７に一つの第１制御盤１３が設置され、他の中継器７に他の第２制御盤１５が設置されている場合において、いずれかの制御盤に異常が発生した場合に他方の制御盤でバックアップすることもできる。
【符号の説明】
【００４４】
１  トンネル防災システム
３  防災受信盤
３ａ  異常検知手段
３ｂ  通知手段
５  伝送線
７  中継器
９  第１火災検知器
９ａ  端子部
１１  第２火災検知器
１１ａ  端子部
１３  第１制御盤
１５  第２制御盤
１７  スイッチング電源
１９  第１送受信回路
２１  第１制御部
２３  第１主リレー
２３ａ  第１主コモン接点
２３ｂ  第１主メイク接点
２３ｃ  第１主ブレイク接点
２５  第１副リレー
２５ａ  第１副コモン接点
２５ｂ  第１副メイク接点
２５ｃ  第１副ブレイク接点
２７  第１主接続端子部
２９  第１副接続端子部
３１  第２送受信回路
３３  第２制御部
３５  第２主リレー
３５ａ  第２主コモン接点
３５ｂ  第２主メイク接点
３５ｃ  第２主ブレイク接点
３７  第２副リレー
３７ａ  第２副コモン接点
３７ｂ  第２副メイク接点
３７ｃ  第２副ブレイク接点
３９  第２主接続端子部
４１  第２副接続端子部
５１  中継器（他の態様）
５３  中継器（さらに他の態様）
【図１】
2015087918.tif 000003
【図２】
2015087918.tif 000004
【図３】
2015087918.tif 000005
【図４】
2015087918.tif 000006
【図５】
2015087918.tif 000007